(57)【要約】【課題】  様々なコンピュータとの通信を好適に行うことが可能なディスプレイ装置を提供する。【解決手段】  ＰＣ（３）とディスプレイ装置内のＣＰＵ（１０）との間にシリアルインターフェースアダプタ（２）を設け、ＰＣ（３）とディスプレイのもつインターフェース仕様の通信情報の相互変換を行えるディスプレイ装置である。上記シリアルインターフェースアダプタ（２）を介すことにより、ディスプレイ装置は様々なコンピュータと通信を行うことが可能となる。また、前記シリアルインターフェースアダプタ（２）を着脱可能とし、ディスプレイのフロントパネルに配置し、ＰＣのインターフェース仕様に応じて容易に差し替えられる構成とする。【選択図】図２
2006323401.tif 000002
【特許請求の範囲】
【請求項１】
ＣＰＵを有するディスプレイ装置において、コンピュータとの通信におけるインターフェース仕様を複数種有し、前記コンピュータとの通信における前記インターフェース仕様の情報を前記ＣＰＵの処理可能なインターフェース仕様に変換するインターフェース変換手段を有することを特徴とするディスプレイ装置。
【請求項２】
ＣＰＵを有するディスプレイ装置において、コンピュータとの通信におけるインターフェース仕様を複数種有し、前記コンピュータとの通信において、前記複数種のうちの１のインタフェース仕様の情報を前記ＣＰＵが処理可能なインターフェース仕様に変換し、前記ＣＰＵのインターフェース仕様の情報を前記コンピュータが処理可能な前記複数種のインターフェース仕様のうちのいずれかに変換するインターフェース仕様変換手段を有することを特徴とするディスプレイ装置。
【請求項３】
ＣＰＵを有するディスプレイ装置において、コンピュータとの通信におけるインターフェース仕様を複数種有し、前記コンピュータとの通信における前記インターフェース仕様の情報を前記ＣＰＵの処理可能なインターフェース仕様に変換するインターフェース変換手段を取り付ける部分を設けたことを特徴とするディスプレイ装置。
【請求項４】
ＣＰＵを有するディスプレイ装置において、コンピュータとの通信におけるインターフェース仕様を複数種有し、前記コンピュータとの通信において、前記複数種のうちの１のインタフェース仕様の情報を前記ＣＰＵが処理可能なインターフェース仕様に変換し、前記ＣＰＵのインターフェース仕様の情報を前記コンピュータが処理可能な前記複数種のインターフェース仕様のうちのいずれかに変換するインターフェース仕様変換手段を取り付ける部分を設けたことを特徴とするディスプレイ装置。
【請求項５】
請求項１乃至請求項４に記載のディスプレイ装置において、前記インターフェース仕様変換手段は前記ディスプレイ装置の有する前記ＣＰＵとは異なる仕様である少なくとも１つのＣＰＵと、前記少なくとも１つのＣＰＵによって制御される少なくとも１つのハブを有し、前記ハブには１以上のコンピュータと複数の周辺機器とが接続可能で、前記ハブは前記少なくとも１つのＣＰＵにより制御されることを特徴とするディスプレイ装置。
【請求項６】
請求項５に記載のディスプレイ装置において、前記インターフェース仕様変換手段の有する前記ハブに前記コンピュータの第１のインターフェースを接続可能で、前記インターフェース仕様変換手段の有する前記ＣＰＵに前記コンピュータの第２のインターフェースを接続可能とすることを特徴とするディスプレイ装置。
【請求項７】
請求項５に記載のディスプレイ装置において、前記インターフェース仕様変換手段の有する前記ハブに前記コンピュータの第１のインターフェースを接続可能で、前記インターフェース仕様変換手段の有する前記ＣＰＵに前記コンピュータの第２のインターフェースを接続可能とし、前記インターフェース仕様変換手段の有するＣＰＵ内部にディスプレイ基本情報の記憶されたメモリエリアを設け、第２のインターフェースを介して前記コンピュータへ前記メモリエリアに記憶される情報を送信することを可能としたことを特徴とするディスプレイ装置。
【請求項８】
請求項５に記載のディスプレイ装置において、前記インターフェース仕様変換手段の有する前記ハブに前記コンピュータの第１のインターフェースを接続可能で、前記インターフェース仕様変換手段の有する前記ＣＰＵに前記コンピュータの第２のインターフェースを接続可能とし、前記インターフェース仕様変換手段にディスプレイ基本情報の記憶されたメモリ手段を設け、第２のインターフェースを介して前記コンピュータへ前記メモリ手段に記憶される情報を送信可能とすることを特徴とするディスプレイ装置。
【請求項９】
請求項５に記載のディスプレイ装置において、前記インターフェース仕様変換手段の有する前記ハブに前記コンピュータの第１のインターフェースを接続可能で、前記インターフェース仕様変換手段の有する前記ＣＰＵに前記コンピュータの第２のインターフェースを接続可能とし、前記インターフェース仕様変換手段に前記第１、第２のインターフェースの双方の仕様に対応したディスプレイ基本情報が記憶されるメモリ手段を設けたことを特徴とするディスプレイ装置。
【請求項１０】
請求項８に記載のディスプレイ装置において、前記インターフェース仕様変換手段の有するＣＰＵの制御により、前記メモリ手段を初期状態に戻すメモリリセット手段を設けたことを特徴とするディスプレイ装置。
【請求項１１】
請求項８に記載のディスプレイ装置において、前記インターフェース仕様変換手段の有するＣＰＵと通信を行うデバイス毎に専用通信回線を設けたことを特徴とするディスプレイ装置。
【請求項１２】
ＣＰＵを有するディスプレイ装置において、コンピュータとの通信におけるインターフェース仕様の情報を前記ディスプレイ装置の有するＣＰＵのインターフェース仕様に変換し、前記ディスプレイ装置の有するＣＰＵのインターフェース仕様の情報を前記コンピュータの対応するインターフェース仕様に変換する制御を行うＣＰＵを備えたインターフェース仕様変換手段を有し、前記ディスプレイ装置のＣＰＵから前記インターフェース仕様変換手段のＣＰＵに対して、コマンド又はデータのリードを要求する手段を設けたことを特徴とするディスプレイ装置。
【請求項１３】
請求項９に記載のディスプレイ装置において、前記インターフェース仕様変換手段の有する前記ＣＰＵと前記ハブとを初期状態とするリセット手段を前記インターフェース仕様変換手段に設けたことを特徴とするディスプレイ装置。
【請求項１４】
請求項９に記載のディスプレイ装置において、前記インターフェース仕様変換手段の有するハブを初期状態とするリセット手段を設けたことを特徴とするディスプレイ装置。
【請求項１５】
請求項７または８に記載のディスプレイ装置において、前記インターフェース仕様変換手段のＣＰＵが複数のディスプレイ装置のＣＰＵと通信可能とすることを特徴とするディスプレイ装置。
【請求項１６】
請求項１５に記載の複数のディスプレイ装置は上下または左右、あるいは上下、左右両方につなぎ合わせたマルチスクリーンディスプレイであることを特徴とするディスプレイ装置。
【請求項１７】
Ｒ、Ｇ、Ｂのビデオ信号が入力されるビデオ処理回路と、前記ビデオ処理回路の出力に基づき表示を行なう表示デバイスと、前記ビデオ信号と共に入力された同期信号に基づいて前記表示デバイスを駆動するドライブ回路と、前記ビデオ処理回路及び、ドライブ回路を制御するＣＰＵ回路と、周辺機器を外部コンピュータに接続するハブ制御部を有するディスプレイ装置において、前記ハブ制御部を除くディスプレイ装置内部に前記ハブユニットに伝送する識別情報の全てまたは一部を保持する手段を設けたことを特徴とするディスプレイ装置。
【請求項１８】
請求項１７において、該識別情報には少なくとも製造者及び、製品を識別する文字あるいはコードが含まれていることを特徴とするディスプレイ装置。
【請求項１９】
請求項１７において、該ハブ制御部に伝送する識別情報の全てまたは一部を前記ＣＰＵ回路内部に設けたことをたことを特徴とするディスプレイ装置。
【請求項２０】
請求項１７において、該ハブ制御部に伝送する識別情報の全てまたは一部を記録するメモリ回路を設けたことをたことを特徴とするディスプレイ装置。
【請求項２１】
請求項１７において、該ハブ制御部内部に前記保持手段から前記識別情報の取得に失敗したときのバックアップ情報を設けたことをたことを特徴とするディスプレイ装置。
【請求項２２】
Ｒ、Ｇ、Ｂのビデオ信号が入力されるビデオ処理回路と、前記ビデオ処理回路の出力に基づき表示を行なう表示デバイスと、前記ビデオ信号と共に入力された同期信号に基づいて前記表示デバイスを駆動するドライブ回路と、前記ビデオ処理回路及び、ドライブ回路を制御するＣＰＵと、周辺機器を外部コンピュータに接続するハブ制御部を有するディスプレイ装置において、前記ハブ制御部以外のディスプレイ装置内部に前記ハブ制御部に伝送するディスプレイ装置を主体とする識別情報の全てまたは一部を保持する第１の記録手段と、前記ハブ制御部内部に前記ハブ制御部を主体とする識別情報の全てまたは一部を保持する第２の記録手段を設けたことを特徴とするディスプレイ装置。
【請求項２３】
請求項２１において、第１の記録手段の情報より、第２の記録手段の情報を優先させたことを特徴とするディスプレイ装置。
【請求項２４】
Ｒ、Ｇ、Ｂのビデオ信号が入力されるビデオ処理回路と、前記ビデオ処理回路の出力に基づき表示を行なう表示デバイスと、前記ビデオ信号と共に入力された同期信号に基づいて前記表示デバイスを駆動するドライブ回路と、前記ビデオ処理回路及び、ドライブ回路を制御するＣＰＵと、周辺機器を接続する外部コンピュータと、前記外部コンピュータに接続するハブ制御部を有するディスプレイ装置において、前記外部コンピュータ内部に前記ハブ制御部に伝送する識別情報の全てまたは一部を保持する手段を設けたことを特徴とするディスプレイ装置。
【請求項２５】
外部コンピュータと周辺機器との第１のシリアル通信との介在を行うハブ回路を有するディスプレイ装置において、
該ハブ回路は該ディスプレイ装置の有する制御用ＣＰＵとの第２のシリアル通信を行うインタフェースを有し、前記第１のシリアル通信を介して伝送される情報を該第２のシリアル通信インタフェース仕様へ変換し、当該情報を上記ＣＰＵへ伝送し、また上記ＣＰＵから上記第２のシリアル通信インタフェースを介して送られてくる情報を上記第１のシリアル通信インタフェース仕様に変換して上記コンピュータへ送出するインタフェース仕様変換手段を有するハブ回路であることを特徴とするディスプレイ装置。
【請求項２６】
外部コンピュータと接続され、該コンピュータからの映像信号表示を行うと共に表示制御を行うための第１の通信インタフェースを有するディスプレイ装置において、
上記外部コンピュータの有する第２の通信インタフェースに接続し、上記第２の通信インタフェース仕様に変換するインタフェース仕様変換手段を備え、上記コンピュータから第２の通信インタフェースを介して出力される上記ディスプレイ装置の表示制御命令を第１の通信インタフェース仕様に変換して表示制御可能としたインタフェース変換手段であって、
更に該インタフェース変換手段は上記第１の通信インタフェースを介して周辺機器との通信を可能とするハブ手段を有することを特徴とするディスプレイ装置。
【発明の詳細な説明】
【技術分野】
【０００１】
本発明は、コンピュータ端末等に用いられる画像表示装置であってパーソナルコンピュータ（以下、ＰＣと略す。）やワークステーション等のコンピュータとの通信機能を有するディスプレイ装置に関する。
【背景技術】
【０００２】
ＰＣとの通信に関するディスプレイ装置の従来例として、日本特開平５−２３２９１８号公報の第７図に明示される画像表示装置があげられる。この画像表示装置の場合、コンピュータ本体から出力されるコンピュータのインターフェース仕様の制御信号は、画像表示装置のディスプレイ制御回路に入力される。その場合において、ディスプレイ制御回路に入力される制御信号はコンピュータのインターフェースと同じインターフェース仕様で入力されている。ここで、インターフェース仕様とは通信機器の出力するコマンド、データ等の仕様、またはその通信機器の処理可能なコマンド、データ等の仕様をいう。
【０００３】
また、日本特開平７−３０２０６８号公報には、コンピュータとディスプレイ装置との通信に関するディスプレイシステムにおけるディスプレイ装置が明示されている。そのディスプレイ装置には、持久記憶装置が装着されている。持久記憶装置にはディスプレイ装置での「視覚出力の高さ、幅および輝度」に関する制御コードを記憶させている。また、持久記憶装置にはディスプレイ装置の仕様をコンピュータが識別できるための識別コードも記憶されており、ディスプレイシステムでの必要に応じて、それらの情報を読み出し、コンピュータとの通信によりコンピュータが認識し、その情報に基づいてディスプレイ装置を制御することを可能としている。その機能により、水平、垂直表示位置、表示サイズといったディスプレイ装置の使用の際の使用者が行う面倒な画質調整を省略しようとするものである。
【０００４】
また、別の従来技術として日本特開平１０−１１６１３９号公報には、ＰＣの新しいインタフェースであるＵＳＢ（Ｕｎｉｖｅｒｓａｌ Ｓｅｉｒｉａｌ Ｂｕｓ）のＨｕｂ機能を内蔵したディスプレイ装置が明示されている。そのディスプレイ装置のＨｕｂは、外部コンピュータに接続される１つのＵＰポートと、周辺機器が接続される３つのＤｏｗｎポートとＨｕｂ制御回路とからなる。前記ＨｕｂのＵＰポートをＰＣ等の外部コンピュータに接続した時、Ｈｕｂ制御回路内でＨｕｂ機能の制御を行うためのハブコントローラ部に保持されるメーカ名、製品名、製造番号、Ｄｏｗｎポートの数等の識別情報をＵＰポートを通じて外部コンピュータに回答することにより、外部コンピュータでは前記Ｈｕｂを認識出来る。すると外部コンピュータから前記Ｈｕｂに対して動作命令が伝達され、ＨｕｂのＤｏｗｎポートが使用可能となる。この状態で周辺機器を前記ＨｕｂのＤｏｗｎポートに接続すると、周辺機器と外部コンピュータとの通信が可能となり、周辺機器が動作する様になる。
【０００５】
【特許文献１】特開平５−２３２９１８号公報
【特許文献２】特開平７−３０２０６８号公報
【特許文献３】特開平１０−１１６１３９号公報
【発明の開示】
【発明が解決しようとする課題】
【０００６】
しかし、日本特開平７−３０２０６８号公報に開示される従来技術では、ＰＣとディスプレイ装置内の制御回路が直接通信するため、ＰＣのもつ特定のシリアルインターフェース規格にしか対応できないという制限が存在していた。そのため、他のシリアルインターフェース規格をもつＰＣとの通信を行うためには、ディスプレイ装置の有する制御回路として、新たなシリアルインターフェース規格に適合する制御回路を再開発する必要があり、開発期間及びコストがかかるという問題点が存在していた。
【０００７】
また、上記従来例でのディスプレイ装置の持久記憶装置には、本ディスプレイ装置に適応する映像信号または映像信号タイミングに関する情報が格納されているが、その情報だけではディスプレイ装置の使用の際、特にはディスプレイ装置にトラブルが生じた場合などの情報不足が問題となっていた。
【０００８】
更に通信機能を有する一般的なデジタル信号処理装置の異なるシリアルインターフェース仕様の通信に関しても、現状ではその異なるインターフェース仕様間の変換手段が存在していないため、異なるインターフェース仕様をもつデジタル信号処理装置の接続ができなかった。
【０００９】
また、日本特開平１０−１１６１３９号公報に開示される従来技術では、ハブコントローラ部に記録されるＨｕｂのメーカ名、製品名、製造番号によってＨｕｂの認識が行われるために汎用性が得られないという課題がある。例えば、他社ブランド名でディスプレイ装置を出荷する様な場合では、ディスプレイ装置のメーカ名と一致する様にハブコントローラ部に記録されるメーカ名等をその度毎に書き直す必要が有るため、汎用性のあるＨｕｂが得られず、Ｈｕｂの製造コストが高くなるという問題が有った。
【００１０】
また、ディスプレイ装置の仕様情報は本来、ディスプレイ装置側で保持するべきものであるため、これをＨｕｂ側で保持すると、Ｈｕｂが保持しているディスプレイ装置の仕様情報と実際のディスプレイ装置の仕様情報とが異なり、矛盾を発生する可能性が有る。
【００１１】
本発明は、上記の各課題に鑑みて為されたものであって、その目的は、様々なコンピュータとの通信のインターフェース仕様に対応可能な汎用性の高いディスプレイ装置を提供することにある。また、本発明は、ディスプレイ装置内部の様々な情報を得ることが出来るメンテナンス性に優れたディスプレイ装置を提供することを他の目的とするものである。
【課題を解決するための手段】
【００１２】
上記目的を達成するための本発明に係るディスプレイ装置は、ＣＰＵを有しコンピュータとの通信手段を有するディスプレイ装置であって、前記コンピュータからの通信のインターフェース仕様と、前記ＣＰＵが処理可能なインターフェース仕様との相互変換をするインターフェース仕様変換手段を設けたことをその特徴とするものである。また上記インターフェース仕様変換手段はディスプレイ装置に対して着脱可能な構成とすることができ、ディスプレイ装置に接続するコンピュータを取り替えた際、コンピュータのインターフェース仕様も変わったときに、上記インターフェース仕様変換に適合する別のインターフェース仕様変換手段に取り替えることができる。
【００１３】
このような構成によって、様々なコンピュータの通信のインタフェース仕様にディスプレイ装置の交換や改造を行うこと無く、同一ディスプレイ装置で対応可能となる。またコンピュータとディスプレイ装置とのインターフェース仕様の相互変換という機能の面では、そのインターフェース仕様変換手段はディスプレイ装置に設けることに限定されず、コンピュータ側に設けられることによっても同様なインターフェース相互変換の機能を働かせることができる。
【００１４】
よって、このインターフェース仕様変換手段を用いることにより、本発明に係るディスプレイ装置は、様々な仕様のインターフェースのコンピュータと通信可能であり、またコンピュータ側から見ると様々なインターフェース仕様のディスプレイ装置と通信可能となる。
【００１５】
具体的には、インターフェース仕様変換手段としてシリアルインターフェースアダプタをディスプレイ装置に設け、そのシリアルインターフェースアダプタによりコンピュータからのインターフェース仕様の通信情報をディスプレイ装置の有するＣＰＵに適したインターフェース仕様の通信情報に変換し、逆にディスプレイ装置の有するＣＰＵのインターフェース仕様の通信情報をコンピュータのインターフェース仕様の通信情報に変換することができる。このインターフェース変換手段によって、コンピュータからの通信のインターフェースに合わせるためにディスプレイ装置を取り替えたり、またはディスプレイ装置の有するＣＰＵを新たに開発する必要がなくなる。また着脱可能なインターフェース仕様変換手段をディスプレイ装置に装着する場合は、その装着位置をディスプレイ装置の表示画面周辺等とすることにより、取り替えの際の使用者の操作性の向上を図ることが出来る。例えば、インターフェース仕様変換手段の装着位置を電源スイッチの近傍にすれば、電源のオン、オフと同様に使用者にとっての取り替え容易性は向上する。また、ディスプレイ装置の表示画面周辺等の位置に装着位置を設けることの効果は、インターフェース仕様変換手段を装着する場合だけではなく、変換手段を有さない通信を可能とするためのインターフェース手段であるインターフェースアダプタを設ける場合でも同様な効果を得ることが出来る。ただし、本発明で通信とは、２つの機器の間で少なくともコマンド等の情報を双方向にみて送受信可能なことをいい、その情報としてはコマンド以外にデータ情報等を含む情報であってもよいものとする。
【００１６】
以上の異なるインターフェース仕様の間での相互変換機能はコンピュータとディスプレイ装置との通信におけるものとしているが、コンピュータとディスプレイ装置の通信に限らず一般的なデジタル信号処理装置間でのインターフェース相互変換も同様なインターフェース仕様変換手段によって同様に行うことが可能である。よって、本発明では、異なるインターフェース仕様であるデジタル信号処理装置間の通信における相互インターフェース仕様変換を可能とするインターフェース仕様変換手段、そのインターフェース仕様変換手段を設けたデジタル信号処理装置、そのインターフェース仕様変換手段を装着する部分を有するデジタル信号処理装置、および２つのデジタル信号処理装置とその通信におけるインターフェース仕様の相互変換を行うインターフェース仕様変換手段とから構成される通信システムを提供するものである。
【００１７】
また、ディスプレイ装置に装着されるインターフェース仕様変換手段にハブを設け、複数のコンピュータと複数の周辺機器をハブに接続可能としている。ここでハブとは、コンピュータ等が接続されるアップストリームポートと、周辺機器が接続されるダウンストリームポートを有し、それらのポートを介したコンピュータと周辺機器との相互通信を自在にするものである。コンピュータや周辺機器がハブを介して接続されることにより、１つのコンピュータと選択された周辺機器との通信が可能である。そして、その通信中であっても、さらにそのコンピュータと別の選択された周辺機器との通信を行うことを可能としている。
【００１８】
また、本発明に係るディスプレイ装置は、ディスプレイ装置が対応可能な映像信号や映像信号タイミングに関する情報を記憶する従来のメモリエリアの他に、正常動作時のディスプレイ装置内部の状態を記憶したメモリエリアを有することができる。さらに、ディスプレイ装置内部状態を検出する手段を有することができる。このメモリエリアに格納されるディスプレイ装置の正常時の内部状態情報と、現在のディスプレイ装置の内部状態を検出する手段による検出結果との比較によって、ディスプレイ装置に関する細かな動作情報を得ることができる。
【００１９】
また、本発明では、通信のために接続されるコンピュータのインターフェース仕様を、ディスプレイ装置の有するＣＰＵが対応しているインターフェース仕様に変換するインターフェース仕様変換手段を設けているので、ＣＲＴ（Ｃａｔｈｏｄｅ Ｒａｙ Ｔｕｂｅ）の場合のみでなく、マトリクス形の表示装置の場合においても対応可能である。
【００２０】
更に、本発明に係るディスプレイ装置は、Ｒ、Ｇ、Ｂのビデオ信号が入力されるビデオ処理回路と、前記ビデオ処理回路の出力に基づき表示を行なう表示デバイスと、前記ビデオ信号と共に入力された同期信号に基づいて前記表示デバイスを駆動するドライブ回路と、前記ビデオ処理回路及び、ドライブ回路を制御するＣＰＵと、周辺機器を外部コンピュータに接続するハブユニットを有するディスプレイ装置において、前記ハブユニットを除くディスプレイ装置の内部に前記ハブユニットに伝送する識別情報の全てまたは一部を保持する保持手段を設けたことを他の特徴とするものである。
【００２１】
更にまた、上記他の目的を達成するための本発明に係るディスプレイ装置は、Ｒ、Ｇ、Ｂのビデオ信号が入力されるビデオ処理回路と、前記ビデオ処理回路の出力に基づき表示を行なう表示デバイスと、前記ビデオ信号と共に入力された同期信号に基づいて前記表示デバイスを駆動するドライブ回路と、前記ビデオ処理回路及び、ドライブ回路を制御するＣＰＵと、周辺機器を外部コンピュータに接続するハブユニットを有するディスプレイ装置において、前記ハブユニットを除くディスプレイ装置の内部に前記ハブユニットに伝送するディスプレイ装置を主体とする識別情報の全てまたは一部を保持する第１の記録手段と、前記ハブユニット内部に前記ハブユニットを主体とする識別情報の全てまたは一部を保持する第２の記録手段を設けたことを特徴とするものである。
【００２２】
更にまた、前記外部コンピュータ内部に、前記ハブユニットに伝送する識別情報の全てまたは一部を保持する手段を設けてもよい。
【発明の効果】
【００２３】
ＰＣとのインターフェース仕様が変更されても、柔軟に対応できるディスプレイ装置を提供することができる。
【発明を実施するための最良の形態】
【００２４】
本発明の実施の形態を図面を用いて説明する。
【００２５】
第１図は本発明による一実施形態であるディスプレイ装置の外観を示す図である。同図において、１はキャビネットであり、２はシリアルインターフェースアダプタである。シリアルインターフェースアダプタ２はＰＣ等の外部装置からのインターフェース仕様をディスプレイ装置の対応するインターフェース仕様に変換し、逆にディスプレイ装置の有するＣＰＵのインターフェース仕様をＰＣ等の外部装置の適合するインターフェース仕様に変換する相互変換の働きをする。
【００２６】
本発明での、異なるインターフェース仕様を相互変換する機能を有するディスプレイ装置は、ディスプレイ装置の第１図の２に示す部分にシリアルインターフェースアダプタ２を内蔵させる構成をもってしても、ディスプレイ装置のシリアルインターフェースアダプタ２を取り替え可能な構成でもってしても実現できる。
ディスプレイ装置にシリアルインターフェースアダプタ２を内蔵させる構成では、第１図のようにシリアルインターフェースアダプタ２取り付け位置をキャビネット１の前面又は表示画面周辺等にすることにより、外部装置からシリアルインターフェースアダプタ２に接続されるコネクタの取り替え等を容易にする効果がある。
【００２７】
またシリアルインターフェースアダプタ２を別のシリアルインターフェースアダプタ２と取り替え可能な構成としている場合では、第１図のように、シリアルインターフェースアダプタ２の着脱位置をキャビネット１の前面または表示画面周辺等にすることにより、シリアルインターフェースアダプタ２の取り替えの際の操作の容易性向上を図っている。シリアルインターフェースアダプタ２はディスプレイ装置の外部に外付けの形態でディスプレイ装置と接続することも可能であるが、外付けの形態の場合と比べると、シリアルインターフェースアダプタ２をキャビネット１の内部に存在させる上記のいずれの構成の場合でも、ディスプレイ装置とシリアルインターフェースアダプタ２０間の配線を不要とする等の効果があり、すっきりとしたディスプレイ装置の実現を図ることができる。
【００２８】
また、ディスプレイ装置の前面または表示画面周辺に設けるアダプタとしては、インターフェース仕様変換手段としてのシリアルインターフェースアダプタ２に限られるものではない。例えば、ディスプレイ装置と外部装置の通信のインターフェース仕様が同一の場合には、外部装置のインターフェース仕様の接続端子を受けるアダプタとしてのインターフェース手段を第１図におけるキャビネット１の２の場所、またはディスプレイ装置の電源スイッチの近傍に設けることにより、外部装置からの通信の接続端子の接続や取り外しの際の操作の容易性が図れる。
【００２９】
第２図にシリアルインターフェースアダプタ２とディスプレイ装置及びコンピュータとで構成されるシステムブロック図を示す。第２図においてディスプレイ装置は、シリアルインターフェースアダプタ２、ＣＰＵ１０、ビデオ処理回路１１、メモリ１３、偏向回路１４、ＣＲＴ１５を有し、ＣＰＵ１０はユニバーサル・エイシンクラナス・レシーバー／トランスミッター（Ｕｎｉｅｒｓａｌ Ａｓｙｎｃｈｒｏｎｏｕｓ Ｒｅｃｅｉｖｅｒ／Ｔｒａｎｓｍｉｔｔｅｒ：以下、ＵＡＲＴと記す。）仕様の情報により制御される。そのＣＰＵ１００制御可能な仕様のＵＡＲＴを受け取るのがＵＡＲＴ１８である。第２図ではシリアルインターフェースアダプタ２をディスプレイ装置に設けるとしているが、上述の通り、ディスプレイ装置に対して着脱可能な構造でもよい。また、コンピュータとしてＰＣ３を用いるとする。
【００３０】
第２図で、シリアルインターフェースアダプタ２は、ＰＣ３から送られてくるコマンドあるいはデータのシリアルインターフェース仕様を、ＣＰＵ１０が制御可能なＵＡＲＴ仕様に変換し、ＣＰＵ１０に供給する。また、シリアルインターフェースアダプタ２は、上記と逆に、ＣＰＵ１０から送られてくるコマンドあるいはデータのＵＡＲＴ仕様をＰＣ３に適するシリアルインターフェース仕様に変換し、ＰＣ３に送信する。
【００３１】
上記のシリアルインターフェースアダプタ２のデータ、コマンド及び通信プロトコル変換機能により、異なるインターフェース仕様のＰＣと接続する際には、各仕様に適合したシリアルインターフェースアダプタ２を差し替えるのみでディスプレイ装置のＣＰＵ１０はなんら変更することなく、新たなシリアルインターフェース仕様に対応することができる。
【００３２】
本実施形態では、シリアルインターフェースアダプタをキャビネットに差し込むことにより発明を実現しているが、シリアルインターフェースアダプタをディスプレイ装置に対して外付けの構成にしても、上記と同様の効果を得ることができる。また、異なるシリアルインターフェース仕様の相互変換を行うインターフェース仕様変換手段としてのシリアルインターフェースアダプタ２は、ディスプレイ装置内部に設けるものとして又はディスプレイ装置に装着可能なものとして説明してきたが、インターフェース仕様変換手段としてのシリアルインターフェースアダプタ２はコンピュータ側にその機能を持たせた場合でも、ディスプレイ装置側に設けた場合と同等な効果を得ることができる。
【００３３】
第３図はＰＣ３とディスプレイ装置のＣＰＵ１０との、ＲＳ２３２Ｃインターフェースを介しての通信を行う場合の図であり、本発明の一実施形態である。シリアルインターフェースアダプタ２内のＲＳ２３２Ｃドライバ／レシーバー４はＰＣ３からＲＳ２３２Ｃ仕様で送られてきたコマンドあるいはデータをＣＰＵ１０のＵＡＲＴ仕様に変換し、ＣＰＵ１０に供給する。また、上記と逆にＣＰＵ１０からＵＡＲＴ仕様で送られてきた情報をＲＳ２３２Ｃ仕様に変換し、ＰＣ３に送信する。この場合のインターフェース仕様相互変換を行うために、ＲＳ２３２Ｃドライバ／レシーバー４に例えば振幅変換器を設ける。この振幅変換器は、ＰＣ３からディスプレイ装置へ出力されるＲＳ２３２Ｃ仕様の信号に対して電圧振幅変換を行い、ディスプレイ装置の有するＣＰＵ１０のＵＡＲＴ仕様の信号に変換させる。また、逆にディスプレイ装置からＰＣ３へ出力されるＵＡＲＴ仕様の信号に対して、この振幅変換器により電圧振幅変換を行い、ＲＳ２３２Ｃ仕様の信号に変換してＰＣ３へ送信する。
【００３４】
以上説明したようにシリアルインターフェースアダプタ２にＲＳ２３２Ｃドライバ／レシーバー４を実装し、そのシリアルインターフェースアダプタ２をキャビネット１に差し込むことにより、ＰＣ３と本発明のディスプレイ装置とはＲＳ２３２Ｃ通信が可能となる。
【００３５】
次に、本発明の他の実施形態を、第４図を用いて説明する。上述の実施の形態はＲＳ２３２Ｃインターフェース仕様をＵＡＲＴ仕様に変換する際の例であるのに対し、本実施の形態は通信プロトコル及び、コマンド、データ構成が異なる他のシリアルインターフェース仕様をＵＡＲＴに変換する際の例である。本実施の形態でのディスプレイ装置はシリアルインターフェースアダプタ２の構成以外は全て上述の実施の形態と同一であるため、シリアルインターフェースアダプタ２の構成のみを第４図に示し、説明する。上述のＲＳ２３２Ｃインターフェースの場合の実施の形態では、シリアルインターフェースアダプタ２は信号の電圧及び極性変換のみで対応できるが、本実施の形態ではＰＣ３の通信プロトコル、コマンド及びデータ構成をＵＡＲＴ仕様に変換し、逆にＵＡＲＴ仕様の通信プロトコル、コマンド及びデータ構成をＰＣ３のシリアルインターフェース仕様に変換する必要があるため、シリアルインターフェースアダプタ２にはその変換のためのＣＰＵ５を搭載している。ＣＰＵ５の制御を行うソフトウェア構成図を第５図に示す。
【００３６】
第５図において、５１はコマンド受信プログラム、５２はコマンド変換プログラム、５３はＵＡＲＴ送信プログラム、５４はコマンド送信プログラム、５５はコマンド逆変換プログラム、５６はＵＡＲＴ受信プログラムである。ここでは、ＰＣ３からＣＰＵ１０にコマンドを転送し及び転送に伴う変換をする場合を例に取り、ＣＰＵ５の各構成部の動作を説明する。なお、ＰＣ３からＣＰＵ１０にデータを送る場合のＣＰＵ５の各構成部の動作、またはＰＣ３とＣＰＵ１０との通信における通信プロトコルの変換を行う場合のＣＰＵ５の各構成部の動作も、同図と同様なソフトウェア構成によるＣＰＵ５の制御により、その処理を行うことができる。
【００３７】
ＰＣ３は内部でコマンドを生成し、シリアルインターフェース仕様の通信プロトコルに則ってディスプレイ装置のフロントパネルに装着されているシリアルインターフェースアダプタ２にそのコマンドを伝送する。シリアルインターフェースアダプタ２はコマンド受信プログラム５１による制御でコマンドの受信を行いＣＰＵ５による処理を始める。コマンドの受信後、コマンド変換プログラム５２による制御で、受信したコマンドの内容を解読しＣＰＵ１０が対応しているＵＡＲＴ仕様のコマンド構成に変換する。ＵＡＲＴ送信プログラム５３による制御によりＣＰＵ１０内部のＵＡＲＴを介してＣＰＵ１０との通信を行い、コマンド変換を施したコマンドをＣＰＵ１０に伝送する。
【００３８】
ここで、例えばＰＣＢから出力される信号として、１ｂｙｔｅ目に信号の送信先デバイス機器を示すデバイスアドレス情報（この場合はディスプレイ装置）、２ｂｙｔｅ目にＰＣ３を示すアドレス情報、３ｂｙｔｅ目にコマンドの長さを示す情報、４ｂｙｔｅ目以下にコマンド情報を有するインターフェース仕様のＮｂｙｔｅ（Ｎは自然数）の長さの信号を考える。このＰＣ３からディスプレイ装置へ向けて出力された信号は、コマンド変換プログラム５２によるＣＰＵ５の制御により、４ｂｙｔｅ目以下のコマンド情報をＣＰＵ１０のＵＡＲＴ仕様であるＭｂｙｔｅ（Ｍは自然数）の長さをもつコマンドに変換する。そして、ＵＡＲＴ送信プログラム５３によるＣＰＵ５の制御により、もとの信号の１ｂｙｔｅ目に示すデバイス機器（この場合はディスプレイ装置）へ送信する。
【００３９】
次に、上記と逆に、ＣＰＵ１０からＰＣ３にコマンドを転送する場合および転送に伴う仕様変換を行う場合における、ＣＰＵ５の動作を説明する。この場合においても、上記の様にＣＰＵ１０からＰＣ３にデータを送る場合のＣＰＵ５の各構成部の動作、またはＣＰＵ１０とＰＣ３との通信における通信プロトコルの変換を行う場合のＣＰＵ５の各構成部の動作も、同図と同様なソフトウェア構成によるＣＰＵ５の制御によって、その処理を行うことができる。
【００４０】
まず、ＣＰＵ１０は内部で生成したコマンドをＵＡＲＴを用いてシリアルインターフェースアダプタ２のＣＰＵ５に伝送する。ＣＰＵ５はＵＡＲＴ受信プログラム５６のによるＣＰＵ５の制御によりＣＰＵ１０から伝送されたコマンドを受信し、コマンド逆変換プログラム５５によるＣＰＵ５の制御によりＰＣ３が対応しているコマンド構成に変換する。その後、コマンド送信プログラム５４によるＣＰＵ５の制御でＰＣ３が対応しているシリアルインターフェース仕様の通信プロトコルに則ってコマンドをＰＣ３に伝送する。
【００４１】
ここで、例えばディスプレイ装置の有するＣＰＵ１０から出力される信号として、１ｂｙｔｅ目に信号の送信先デバイス機器を示すデバイスアドレス情報（この場合はＰＣ３）、２ｂｙｔｅ目にディスプレイ装置を示すアドレス情報、３ｂｙｔｅ目にコマンドの長さを示す情報、４ｂｙｔｅ目以下にコマンド情報を有するインターフェース仕様のＭ’ｂｙｔｅ（Ｍ’は自然数）の長さの信号を考える。このＣＰＵ１０からＰＣ３へ向けて出力された信号は、コマンド逆変換プログラム５５によるＣＰＵ５の制御により、４ｂｙｔｅ目以下のコマンド情報をＣＰＵ１０のＵＡＲＴ仕様であるＮ’ｂｙｔｅ（Ｎ’は自然数）の長さをもつコマンドに変換する。そして、コマンド送信プログラム５４によるＣＰＵ５の制御により、もとの信号の１ｂｙｔｅ目に示すデバイス機器（この場合はＰＣ３）へ送信する。
【００４２】
以上の動作により、本実施の形態によるディスプレイ装置はＰＣ３のインターフェース仕様が変更されても、またはＰＣ３の取り替えに伴ってＰＣ３のインターフェース仕様が変更されても、ＰＣ３の新たなインターフェース仕様をディスプレイ装置のインターフェース仕様に変換可能な他のシリアルインターフェースアダプタ２に差し替えるだけで、ＰＣ３の新たなインターフェース仕様に対応することができる。さらに、シリアルインターフェースアダプタ２の装着位置をディスプレイ装置のフロントパネル部分等の取り替えのしやすい部分とすることにより、ユーザーがディスプレイ装置の前から移動することなく交換でき、使い勝手が良いというメリットも有る。
【００４３】
また、上記の実施の形態では、シリアルインターフェース仕様の相互変換を行う対象となる装置は、ディスプレイ装置とコンピュータとして説明してきたが、本発明はこれに限定されることなく、異なるインターフェース仕様をもつデジタル信号処理装置一般の間の通信においても使用することができる。この場合の実施の形態を第１２図を用いて説明する。
【００４４】
第１２図において、１３１は第１のデジタル信号処理装置、１３２は第２のデジタル信号処理装置、１３０は第１のデジタル信号処理装置の有するＣＰＵ、１３３は第２のデジタル信号処理装置の有するＣＰＵであって、２は上記の実施の形態に用いられるのと同様なシリアルインターフェースアダプタである。ＣＰＵ１３０とＣＰＵ１３３は互いに異なるインターフェース仕様をもつものとし、シリアルインターフェースアダプタ２は第１、第２のデジタル信号処理装置の通信において互いに異なるインターフェース仕様の情報の相互仕様変換を行うことができる。
【００４５】
すなわち、第１のデジタル信号処理装置１３１の有するＣＰＵ１３０のインターフェース仕様の情報はシリアルインターフェースアダプタ２で第２のデジタル信号処理装置１３２の有するＣＰＵ１３３が制御可能なインターフェース仕様に変換され、通信がされる。また逆に、第２のデジタル信号処理装置１３２の有するＣＰＵ１３３のインターフェース仕様の情報はシリアルインターフェースアダプタ２で第１のデジタル信号処理装置１３１の有するＣＰＵ１３０が制御可能なインターフェース仕様に変換され、通信が可能とされる。ここで、シリアルインターフェースアダプタにおけるインターフェース仕様の相互変換は、第３図、第４図で詳細に説明した実施の形態と同様な動作により行うことが可能である。
【００４６】
また、第１２図ではシリアルインターフェースアダプタ２は、第１及び第２のデジタル信号処理装置の外部に存在する形として示してあるが、第１または第２のデジタル信号処理装置に内蔵される形をもってしても、第１または第２のデジタル信号処理装置に着脱可能な形をもってしても同様にしてインターフェース仕様の相互変換機能は実現され、本発明の通信におけるインターフェース仕様の相互仕様変換の効果は同様にして得られる。
【００４７】
本発明の更なる一実施形態として、ディスプレイ装置のシリアルインターフェースアダプタ２とＣＰＵ１０、及びＰＣ３とから成るシステムの構成例を第６図に示す。ここで特徴となる点は、シリアルインターフェースアダプタ２がハブを有する点である。同図において、６はハブであり、６１はホストであるＰＣ３との接続ポート（以下、アップストリームポートと略す。）である。６２、６３、６４、６５は周辺機器の接続ポート（以下、ダウンストリームポートと略す。）であり、第６図では４個のダウンストリームポートを持つ構成とする。ハブ６の有するダウンストリームポートの数は第６図に示す個数以上であっても以下であってもよい。ダウンストリームポートに接続される周辺機器としては、キーボード、マウス、ジョイスティク、ディジタルカメラ、プリンタ、スピーカ等の周辺機器があげられる。本実施の形態ではシリアルインターフェースアダプタ２にハブ６を具備し、シリアルインターフェースアダプタ２の有するＣＰＵ５がハブ６を制御することによりＰＣ３と周辺機器との通信を可能としている。ただし、本発明におけるハブとは、コンピュータ等が接続される１以上のアップストリームポートと、周辺機器が接続される複数のダウンストリームポートを有し、それらのポートを介したコンピュータと周辺機器との通信の選択の幅を広げることによりシステム全体の通信環境を広める機能を有するものであるとする。
【００４８】
ハブ６はＰＣ３との通信によるＣＰＵ５によって制御され、その制御に応じてダウンストリームポートに接続されている周辺機器を選択し、ＰＣ３からのコマンド等の情報を伝送することができる。また、上記と逆に、選択している周辺機器からのデータ等の情報もハブ６を介してＰＣ３に伝送することができる。ここで、第６図のハブ６の有するダウンストリームポートを切り換える選択スイッチ部分の表す状態は、選択された周辺機器とＰＣ３との通信を行うという状態を示すものであり、選択されていない周辺機器とは物理的に接続されていないという状態を示すものではない。以上のハブ６を介した通信によりＰＣ３の得たコマンド、データ等の情報は、ＰＣ３からシリアルインターフェースアダプタ２のＣＰＵ５にハブ６を介して伝送され、ＣＰＵ５の制御によりさらにディスプレイ装置の有するＣＰＵ１０に送信される。その情報によるＣＰＵ１０の制御によってディスプレイ装置では映像表示等の制御を行うことが可能となる。ハブ６から伝送されたデータ、コマンド等を、ＣＰＵ５の制御（第５図に示したプログラム構成によるＣＰＵ５の制御と同等な制御）により、ＣＰＵ１０が対応できるデータ、コマンド等の構成に変換し、ＵＡＲＴ１８を介してＣＰＵ１０に伝送する。また、ＣＰＵ１０から出力されるＵＡＲＴ仕様のコマンドは、ＵＡＲＴ１８を介してＣＰＵ５に送信され、ＣＰＵ５の制御（第５図に示したプログラム構成によるＣＰＵ５の制御と同等な制御）によりＵＡＲＴ仕様のコマンドをＰＣ３が対応できるシリアルインターフェース仕様に変換し、ハブ６を介してＰＣ３に伝送される。
【００４９】
上記の様なハブ６をシリアルインターフェースアダプタ２に設けることにより、本発明のディスプレイ装置のシリアルインターフェースアダプタ２はハブ機能を有することが可能となる。ただし、本実施の形態ではハブ６はシリアルインターフェースアダプタ２に具備されているが、ハブをディスプレイ装置自身に具備させる構成をとっても、ハブとＣＰＵ５との通信が行える構成であればよい。このハブがシリアルインターフェースアダプタ２に含まれない構成でディスプレイ装置自身に具備される場合においては、シリアルインターフェースアダプタ２の取り替え時にハブに接続される周辺機器の取り替えをする手間が省けるという効果がある。
【００５０】
本発明の更なる一実施形態を第７図に示す。第７図において、３１は２台目のＰＣであり、６６はＰＣ３１のアップストリームポートである。また、同図において第６図と同じ番号のものは同じものであり同様の機能を有するものであるとする。
【００５１】
第７図に示すように本発明によるディスプレイ装置のシリアルインターフェースアダプタ２は複数台のＰＣとの接続が可能である。その構造とＣＰＵ５によるハブ６の制御により、例えば、ＰＣ３がダウンストリームポート６２〜６５のいずれかに接続される周辺機器と通信を行っている最中にもＰＣ３１はＰＣ３と通信を行っている周辺機器以外のダウンストリームポートに接続される他の周辺機器と通信することができる。さらに、ハブのアップストリームポート及びダウンストリームポートの数を増やすことにより、ＰＣと周辺機器とのハブを介した通信を複数通り同時に並行して行うことができ、複数台のＰＣと複数台の周辺機器との通信を自在に切り換えて制御することが可能となる。この場合、ディスプレイ装置に表示される映像は、ＰＣ３またはＰＣ３１からの映像信号に基づく映像となるが、この表示される映像の切り換えは、例えばＰＣ３、ＰＣ３１、またはハブ６に接続されるマウス、キーボード等からの切り換え制御信号をハブ６を介した通信によりＣＰＵ１０に送信され、ＣＰＵ１０の制御により切り換えが可能とされる。
【００５２】
本発明の更なる一実施形態であるディスプレイ装置の構成と、コンピュータとのシリアルインターフェースアダプタ２を介した通信の接続を示すブロック図を第８図に示す。本実施の形態において、ディスプレイ装置は第２図にあげられる実施の形態でのディスプレイ装置にさらに第２のメモリ１６を具備したものである。
【００５３】
第２のメモリ１６にはディスプレイ装置の主要な部分の正常動作時の調整電圧範囲を記憶させておき、本実施の形態ではビデオ処理回路１１、偏向回路１４およびＣＲＴ１５のアノード、グリッドの電源電圧値、電流値を記憶させておく。そして、必要に応じてＣＰＵ１０によってメモリ１６に格納される情報を読み取り、シリアルインターフェースアダプタ２を用いた仕様変換後にその情報をＰＣ３に伝送することができる。その情報を表示する映像信号をＰＣ３の制御によってディスプレイ装置に送信することによって、ディスプレイ装置のＣＲＴ１５にディスプレイ装置の正常動作時の情報の内容を表示することができ、ディスプレイ装置の故障時等の修理における情報として役立てることができる。なお、本実施の形態ではメモリ１６はメモリ１３と別に設けられているが、メモリ１３とメモリ１６とを一つのメモリで構成してもよい。またＣＰＵ１０内の内部メモリに、メモリ１３およびメモリ１６の内容を記憶させてもよく、メモリ１３またはメモリ１６の内容のいずれか一方をＣＰＵ１０内の内部メモリに記憶しておいてもよい。
【００５４】
本発明の更なる実施の形態として、ディスプレイ装置の構成、およびこのディスプレイ装置とコンピュータとのシリアルインターフェースアダプタ２を介した接続を示すブロック図を第９図に示す。第９図において第８図と同一符号の構成要素は同等の機能を有するものとする。第９図において、９１はビデオ処理回路１１の電圧源、９２はＣＲＴ１５のアノード電圧源、９３はＣＲＴ１５の第２グリッドの電圧源、９４は偏向回路１４の電圧源であり、７１はビデオ処理回路１１の電源電流の検出手段、７２はＣＲＴ１５のアノード電源電流の検出手段、７３はＣＲＴ１５のアノード電流の検出手段、７４は偏向回路１４の電源電流の検出手段である。電流の検出は例えば電流の流れる区間に抵抗を用いて、その抵抗の両端の電圧降下を測定することにより検出可能である。８は上記各部の電圧及び電流の検出手段への接続を切り換えるスイッチであり、１７はスイッチ８で選択した検出手段の検出値をディジタル信号に変換するＡ／Ｄ変換器である。以下、第９図における動作を説明する。
【００５５】
ＰＣ３、またはＣＰＵ１０からの要求により、Ａ／Ｄ変換器１７はスイッチ８で選択した検出手段の検出値をディジタル信号に変換し、ＣＰＵ１０に供給する。なお、第９図には図示していないが、本実施の形態のディスプレイ装置は検出値をＡ／Ｄ変換器１７の入力のダイナミックレンジに合致させるためのレベルコンバータを有している。ＣＰＵ１０はディジタル信号に変換した各部の検出値及び、第２のメモリ１６にプリセットされている正常動作時の各部の値もしくは正常動作時の許容範囲の情報を、シリアルインターフェースアダプタ２を用いてＰＣ３に伝送する。ＰＣ３は検出値がプリセットの値に合致しているか否か、または許容範囲に納まっているか否かを判断し、その結果をＣＲＴ１５に表示することができる。
【００５６】
第１０図はメモリ１６にプリセットしてある値または許容範囲とディスプレイ装置の各部の実際の検出値との比較結果の表示例である。検出値がプリセットに合致している場合、または許容範囲内にある場合は、例えばＮｏ Ｅｒｒｏｒと表示する。また、検出値が許容範囲を若干下回っている時は例えばＷａｒｎｉｎｇと表示して異常が存在することを示し、その部分の異常内容をディスプレイ装置に表示する。さらに、検出値が過電流等の重大な異常であるときは例えばＥｒｒｏｒと表示し、その異常内容をディスプレイ装置に表示する。
【００５７】
以上説明したように、各部の電圧、電流を検出する手段を具備するとともに正常動作時の値または許容範囲をメモリ１６にプリセットしておき、各部の電圧、電流を検出する手段により得られる情報と、メモリ１６にプリセットされている情報とを、シリアルインターフェースアダプタ２を用いてＰＣ３に伝送することにより、ディスプレイ装置内各部の異常を容易に知ることができる。また、上記のディスプレイ装置内各部の情報の表示に関して、本実施の形態に示すようなＰＣ３からの制御でなくても、ディスプレイ装置がオン・スクリーン・ディスプレイ（ＯＮ ＳＣＲＥＥＮ ＤＩＳＰＬＡＹ：以下ＯＳＤと記す。）機能を有している場合は、そのＯＳＤ機能を用いてＣＲＴ１５にディスプレイ装置内各部の情報を表示してもよい。
【００５８】
また、本発明のディスプレイ装置のシリアルインターフェースアダプタ２は双方向通信が可能であるため、Ｗａｒｎｉｎｇ程度の軽微な異常であれば、ＰＣ３から調整コマンド及び設定値を入力することで異常部分の再調整を行い、解決することができる。
【００５９】
さらに、ブライト、コントラスト、画面歪み等、ＣＰＵ１０で制御できる項目についてはＰＣ３が介在することなく、ディスプレイ装置のＣＰＵ１０単独の制御により対応できるため、工場出荷時の初期調整の簡略化および経時変化の抑圧に効果がある。
【００６０】
本発明の更なる実施の形態として、第１１図にディスプレイ装置の構成、およびディスプレイ装置とコンピュータとのシリアルインターフェースアダプタ２を介した通信接続を示すブロック図を示す。同図において、１２は液晶モジュール、１２１は水平走査回路、１２２は垂直走査回路、１２３は液晶パネルである。第２図と同一部分には同一符号を付し、重複する説明は省略する。
【００６１】
本実施の形態では表示デバイスとして液晶モジュール１２を用いる点が第２図に示される実施の形態と異なる。本発明によるディスプレイ装置のシリアルインターフェースアダプタ２は液晶ディスプレイにも用いることが可能である。以下、第１１図における動作を説明する。
【００６２】
メモリ１３から読み出されたディスプレイ装置の固有の解像度等の情報をシリアルインターフェースアダプタ２を介した通信によりＰＣ３へ送信し、ＰＣ３はディスプレイ装置に適応する映像信号仕様や映像信号タイミングを識別する。そしてＰＣ３は、そのディスプレイ装置の情報に応じた映像信号をディスプレイ装置側に出力し、ビデオ処理回路１１により映像信号の処理がなされる。ビデオ処理回路１１の出力映像信号を液晶モジュール内の水平走査回路に入力し、入力された水平、垂直の同期信号を、それぞれ水平走査回路１２１と垂直走査回路１２２に入力することにより、液晶パネル１２３上にＰＣ３から送信された映像信号に基づく映像の表示を可能としている。解像度が固定であるマトリクス形ディスプレイ装置にとっては、ＰＣ３にディスプレイ装置自身の解像度を報告することにより、合致した解像度の映像信号をＰＣ３に要求することができる。そのためＣＲＴ方式のディスプレイ装置の場合と比べて、メモリ１３に格納される情報も少なくてすみ、またディスプレイ装置の使用中等における画面調整も簡素化されるという利点がある。
【００６３】
なお、本発明の実施の形態によるシリアルインターフェースアダプタ２の装着されるマトリクス形ディスプレイ装置は液晶ディスプレイに限られるものではなく、上記全ての実施の形態において、プラズマ、ＬＥＤ、ＥＬ、ＤＭＤといったあらゆるタイプのマトリクス形ディスプレイに適用可能である。
【００６４】
また、本発明の実施の形態におけるＣＰＵ１０はシリアルインターフェースとして、ＵＡＲＴを内蔵している例を用いて説明してきたが、ＵＡＲＴ以外のシリアルインターフェース仕様であっても本発明を逸脱するものではない。さらに、シリアルインターフェースアダプタ２をフロントパネルに装着する例を用いて説明してきたが、シリアルインターフェースアダプタ２の装着位置はフロントパネルに限定されるものではなく、表示画面周辺等でも同様の効果があり、使用者がシリアルインターフェースアダプタを取り替える際の操作性向上が図れる範囲での装着位置であれば、その装着位置による本発明への影響はない。
【００６５】
本発明の更なる実施の形態のディスプレイ装置の構成例を第１３図に示す。また、シリアルインターフェースアダプタ２及びその通信関係の詳細を第１４図に示す。
【００６６】
これまで説明してきた実施の形態はシリアルインターフェースアダプタ２とＣＰＵ１０のシリアルインターフェースとして、ＵＡＲＴを例に挙げて説明してきた。以降は、ＰＣ３とシリアルインターフェースアダプタ２のハブ６とのシリアルインターフェースＳＩ１を第１のシリアルインターフェース、また、シリアルインターフェースアダプタ２とＣＰＵ１０のシリアルインターフェースＳＩ２を第２のシリアルインターフェースと呼ぶ。ここで、第１と第２のシリアルインターフェースの通信プロトコルは異なるものとする。
【００６７】
本実施の形態は、更にＰＣ３とシリアルインターフェースアダプタ２のＣＰＵ５との通信を行うための第３のシリアルインターフェースにも対応可能としている点がこれまでの実施の形態と異なる。すなわち本実施の形態では、複数種のインターフェース仕様に対応したシリアルインターフェースアダプタ２、その機能を有するディスプレイ装置及びディジタル信号処理装置を提供している。
【００６８】
ここでは、第３のシリアルインターフェースと第２のシリアルインターフェースとは通信プロトコルが異なる場合を考える。また以下の実施の形態において、第１と第２のインターフェースの通信プロトコルも異なるものとして説明するが、これは同一である場合を妨げるものではない。以下、第３のシリアルインターフェースをＳＩ３と略し、動作例について説明する。
【００６９】
第１４図において、ＣＰＵ５内部にはＳＩ３に対応するためのディスプレイ装置のメーカ名、型式、シリアル番号、対応している信号仕様等のディスプレイの基本情報を有しており、前記ディスプレイ装置の基本情報をＳＩ３を介してＰＣ３に通知することにより、ＰＣ３は本発明によるディスプレイ装置に最適な映像信号を供給することができる。従って、ユーザが画像表示位置、画面歪等の煩わしい初期調整作業を行わなくとも、常に最適条件での画像表示が可能となる。また、ＣＰＵ５はコマンド、プロトコル変換機能を有し、ＰＣ３とディスプレイ制御用のＣＰＵ１０が、ＣＰＵ５を介してコマンド、あるいはデータを双方向にやり取りすることができるため、ＰＣ３はディスプレイの明るさ、色温度、画面歪み、表示サイズ、位置等の制御が可能で、また前記ディスプレイ装置の調整値、識別情報、性能情報等の取得も可能であり、そのディスプレイ情報に基づく制御も可能である。尚、ＰＣ３が上記ディスプレイ情報の取得する方法は一括で取得しても良いし、必要な情報のみを選択して個別に取得しても良い。
【００７０】
本発明の更なる実施の形態を第１５図に示す。第１５図では、シリアルインターフェースアダプタ２の構成が本発明の上記の実施の形態と異なる。
【００７１】
本実施の形態は上記の実施の形態で説明したディスプレイ装置の基本情報を記録するために、内部データの書き換えが可能なメモリ回路ＥＥＦＲＯＭ２１を設けた点が上記の実施の形態と異なる。ＥＥＰＲＯＭ２１は通常のメモリ機能のみの汎用デバイスを用いても良いが、ＳＩ３に対応するための機能を内蔵した専用のデバイスを用いても良い。第１５図では後者の専用デバイスを用いた構成を示し、以下に第１５図の動作について説明する。
【００７２】
第１５図において、ＳＩ３は、複数の異なる通信レベルに対応しているものとして、通信レベル１、通信レベル２がある場合を考える。ここで通信レベルとは、ＳＩ３を介してＰＣ３とＥＥＰＲＯＭ２１との通信制御を行う際の電圧レベルのことである。ＰＣ３がＳＩ３の通信レベル１に対応している時、ＥＥＰＲＯＭ２１はＰＣ３から受信した垂直同期信号に同期させて１ビットずつＰＣ３にデータの送信をする。また、ＰＣ３がＳＩ３の通信レベル２に対応している時、ＰＣ３は垂直同期信号とは周波数の異なるクロック信号を出力する。そしてＥＥＰＲＯＭ２１はＰＣ３から供給されたクロック信号に同期してＥＥＰＲＯＭ２１に記録されているディスプレイ装置の基本情報を読み出し、データをＰＣ３に送信する。ここでは、ＳＩ３の通信レベルとして２つのものを説明したが、本発明において、通信レベルの種類は２つに限られるものではない。その他の通信レベルにおいても、ＰＣ３がＥＥＰＲＯＭ２１の読み出し制御および通信制御がなされる通信レベルであれば本発明を逸脱するものではない。
【００７３】
この様に、シリアルインターフェースアダプタ２内にＥＥＰＲＯＭ２１を設け、少なくとも１つの通信レベルに対応してＰＣ３がＥＥＰＲＯＭ２１の読み出し制御、通信制御可能とすることにより、ＰＣ３はシリアルインターフェースアダプタ２を有するディスプレイ装置の識別を行うことができる。また、新規の（ＥＥＰＲＯＭ２１に基本情報がメモリされていない）ディスプレイ装置をＰＣ３に接続する場合でも、ＥＥＰＲＯＭ２１として新規のディスプレイ装置の基本情報を追加記録されたものを用いることによりＰＣ３は新規のディスプレイ装置の認識が可能となる。すなわち、シリアルインターフェースアダプタ２のＥＥＰＲＯＭ２１を新規の基本情報を有するものに取り替えるだけでよく、ＣＰＵ５及びハブ６は共通に使用できる。さらに、ＥＥＰＲＯＭ２１として電気的に消去可能なメモリを使用する場合では、新規のディスプレイ装置の基本情報をメモリに追加書き込み又は書き換えをするだけでよい。この場合は、シリアルインターフェース２は、ディスプレイ装置の種類に関係なく共通して使用することが可能であり、新規のディスプレイ装置の基本情報の書き込み制御、又は書き換え制御はディスプレイ装置の外部から容易に可能である。
【００７４】
尚、本実施の形態では電気的に消去可能なＥＥＰＲＯＭ２１を使用する場合の例について述べたが、メモリとしてはＥＥＰＲＯＭ２１に限られるものではなく、書き換え不能のＲＯＭを物理的に交換しても良い。また、ＣＰＵ５の内部に電気的に消去可能なＥＥＰＲＯＭ２１エリアが設けられている場合には、ＣＰＵ５内部のＥＥＰＲＯＭ２１のエリアを使用しても良い。
【００７５】
本発明の更なる実施の形態を第１６図に示す。第１６図の実施の形態では、シリアルインターフェースアダプタ２の構成が本発明の上記の実施の形態と異なる。
【００７６】
本実施の形態はシリアルインターフェースアダプタ２内のＥＥＰＲＯＭ２１として、ＳＩ３の専用のデバイスを使用し、前記ＥＥＰＲＯＭ２１の通信動作状態をリセットして初期状態に戻すことのできるリセット回路２２を設けた点が上記の実施の形態と異なる。
【００７７】
第１６図に示される構成における動作を以下に説明する。
【００７８】
ＰＣ３とＣＰＵ５との通信制御が、ＳＩ３を介した通信レベル１での通信をしている場合において、通信レベルが通信レベル２に切り換わった時に、ＰＣ３はＥＥＰＲＯＭ２１の認識が出来なくなってしまう。そのような弊害をなくすために、ＣＰＵ５の制御によりＥＥＰＲＯＭ２１をリセットし、ＳＩ３の通信レベル２でＰＣ３がＥＥＰＲＯＭ２１を認識することを可能とする。通信レベルが通信レベル２から通信レベル１に切り換わった時も同様である。
【００７９】
第１７図に本実施の形態におけるＥＥＰＲＯＭ２１をリセットするリセット回路２２の一例を示す。
【００８０】
第１７図において、２２１、２２２、２２３は抵抗、２２４はＮＰＮトランジスタ、２２５はリセット回路２２の電源である。
【００８１】
リセット回路２２はエミッタ接地のスイッチング回路であり、ＣＰＵ５からの入力信号がＬｏｗレベルの場合はＮＰＮトランジスタ２２４はカットオフ状態となり、ＮＰＮトランジスタ２２４のコレクタ端子はＨｉｇｈレベルになるため、ＥＥＰＲＯＭ２１がパワーオン状態となる。一方、ＣＰＵ５からの入力信号がＨｉｇｈレベルの場合はＮＰＮトランジスタ２２４は能動状態となり、ＮＰＮトランジスタ２２４のコレクタ端子がＬｏｗレベルとなって、ＥＥＰＲＯＭ２１がパワーオフ状態となる。
【００８２】
ＰＣ３からの映像信号や同期信号の切断をＣＰＵ１０が検出した時、ＣＰＵ５を介してＥＥＰＲＯＭ２１をパワーオン初期状態に戻すことが可能となる。従って、ＳＩ３を介してＰＣ３とＥＥＰＲＯＭ２１との通信を再度行うことが可能となる。
【００８３】
尚、本実施の形態ではＥＥＰＲＯＭ２１をパワーオフすることにより初期状態に戻す例について述べたが、ＥＥＰＲＯＭ２１が専用のリセット端子を有する場合にはＣＰＵ５の出力を直接リセット端子に入力しても良い。
【００８４】
本発明の更なる実施の形態として、ディスプレイ装置のはシリアルインターフェースアダプタ２の構成を第１８図に示す。
【００８５】
本実施の形態はシリアルインターフェースアダプタ２内のＥＥＰＲＯＭ２１に第１のシリアルインターフェース仕様のデータ及び第３のシリアルインターフェース仕様のデータを記録・読み出し可能とし、ＥＥＰＲＯＭ２１を共通化した点が前記の実施の形態と異なる新規な点である。
【００８６】
第１のシリアルインターフェースと第３のシリアルインターフェースの共通データの格納エリアを共通化することにより、メモリ容量を低減することができる。
【００８７】
本発明の更なる実施の形態を第１９図に示す。本実施の形態では。ディスプレイ装置のシリアルインターフェースアダプタ２の構成において、ＥＥＰＲＯＭ２１の接続位置が第１８図に示した実施の形態と異なる。
【００８８】
本実施の形態では、シリアルインターフェースアダプタ２内のＣＰＵ５との通信回線をハブ６及びＣＰＵ１０さらにＥＥＰＲＯＭ２１に対し、それぞれ独立して専用に設けている。
【００８９】
各デバイス毎に専用通信回線を設けることにより、デバイスの破壊等の重大な障害によりある通信回線が不通となった場合にも残りの他の通信回線を使用して障害が発生したことをディスプレイ装置のユーザに知らせることができる。
【００９０】
一例として、ＣＰＵ５とハブ６との通信回線が不通となった場合にはＣＰＵ５が障害を検出し、ＣＰＵ５とディスプレイ内部のＣＰＵ１０との通信回線を使用してＣＰＵ１０に障害検出内容を送信し、ディスプレイ装置に障害の内容及び障害の解消方法等をＯＳＤ表示しても良い。またＣＰＵ５とＰＣ３とのＳＩ３を使用してＰＣ３に障害検出内容を送信し、ディスプレイ装置に障害の内容及び障害の解消方法等をＰＣ３のソフトウェア制御によりディスプレイ装置に表示しても良い。
【００９１】
本発明の更なる実施の形態を第２０図に示す。本実施の形態では、ディスプレイ装置のシリアルインターフェースアダプタ２とＣＰＵ１０との通信関係の構成が本発明の前記実施の形態と異なる。以下、第２０図の動作について説明する。本実施の形態では、ディスプレイ内部のＣＰＵ５が通信可能状態であることをシリアルインターフェースアダプタ２内のＣＰＵ１０にＩ／Ｏポートを介して通知するフラグ機能を設けている。このフラグ機能を設けることにより、ＣＰＵ５またはＣＰＵ１０のどちらが先に動作を開始しても問題無く通信が可能となる。
【００９２】
以下、ＣＰＵ５が先に動作を開始した場合とＣＰＵ１０が先に動作を開始した場合について述べる。
【００９３】
ＣＰＵ５が先に動作を開始した場合、ＣＰＵ５はＣＰＵ１０からＣＰＵ１０が通信可能状態であることを示すフラグを受信するまで、ＣＰＵ１０と通信しないように設定する。例えば、ＣＰＵ５がＰＣ３からＣＰＵ１０に送信すべきコマンドを受信した場合はＣＰＵ１０から通信可能フラグを受信するまで、ＰＣ３から受信したコマンドをホールドするか、場合によっては無視する。そして、ＣＰＵ１０から通信可能フラグ受信を確認後、ＣＰＵ１０との通信が開始され、ＰＣ３の出力したコマンドがホールドされている場合は、そのコマンドをＣＰＵ１０に送信する。
【００９４】
一方、ＣＰＵ１０が先に動作を開始した場合には、ＣＰＵ１０のＩ／Ｏポート機能の設定、ＲＡＭの初期化が終了し、正常動作を開始したときに、ＣＰＵ１０は通信可能であることを伝えるフラグをＣＰＵ１０に送信し、ＣＰＵ５との通信が始まるまでフラグをホールドしたままディスプレイの制御に移行するようにＣＰＵ５及びＣＰＵ１０の動作をプログラムにより制御する。
【００９５】
上記のようにＣＰＵ５及びＣＰＵ１０をプログラムすることにより、例えば、電源ノイズの混入等により、どちらかのＣＰＵが一時的に電源ＯＦＦ状態を経て新たに電源がＯＮされた場合に、そのＣＰＵは初期状態に戻る。そしてそのＣＰＵが新たに動作を開始したとしても上記手順の通りリカバーするため、通信不能になることはない。
【００９６】
さらに、ＣＰＵ５またはＣＰＵ１０が暴走状態になったとしても、ウオッチ・ドック・タイマー等の強制初期化手段を用いて強制的に初期化することにより、上記手順によってリカバーし正常な通信状態にすることができる。
【００９７】
ここで、データの送信及び受信の主導権を有するデバイスをマスターデバイスと呼び、前記マスターデバイスの指示により、データの受信及び送信を行うデバイスをスレーブデバイスと呼ぶ。第１９図までに説明してきた実施の形態では、ＣＰＵ５からＣＰＵ１０にデータを送信する時にはＣＰＵ５がマスターデバイス、ＣＰＵ１０がスレーブデバイスの関係となり、ＣＰＵ１０からＣＰＵ５にデータを送信する時にはＣＰＵ１０がマスターデバイス、ＣＰＵ５がスレーブデバイスの関係となって通信する、いわゆるマルチ・マスターの関係を有していた。
【００９８】
しかし、第１９図の実施の形態までのＣＰＵ５とＣＰＵ１０との関係は、この関係に限られるものではなく、第２０図に示される本実施の形態のように、ＣＰＵ１０からＣＰＵ５にコマンド・データ等を送信するにあたって、ＣＰＵ１０からＣＰＵ５にフラグ機能を用いてＣＰＵ１０の動作開始の合図をすることにより初めてＣＰＵ１０からＣＰＵ５にコマンド・データ等を送信することのできる、ＣＰＵ５がマスターデバイス、ＣＰＵ１０がスレーブデバイスといった固定された関係を有していても良い。この固定された関係の下での制御は、マルチ・マスターよりも安定した制御を行うことができ、誤動作防止の効果がある。また、マルチ・マスターの関係を有するよりも機能上、製品開発が容易である。
【００９９】
また、第１のシリアルインターフェースと第３のシリアルインターフェースが競合した場合は、ＰＣ３との通信において第３のシリアルインターフェースを優先する等の優先順位を設けて、安定した通信状態を保つこともできる。
【０１００】
本発明の更なる実施の形態を第２１図に示す。本実施の形態のディスプレイ装置のシリアルインターフェースアダプタ２はＣＰＵ５とハブ６の共通リセット回路２３を設けた点が前記の実施の形態と異なる。
【０１０１】
上記共通リセット方式により、共通リセット回路２３がＣＰＵ５またはハブ６の電源電圧の低下及び、電源の瞬時の遮断を検出した場合には、ＣＰＵ５及びハブ６を初期状態から再始動させることができ、通信中断による誤動作を防止することができる。さらに、ハブ６の初期化処理において、アップストリームポートの接続を一旦切断した後、再接続することにより、ＰＣ３への接続処理についても初期状態から再始動させることができる。
【０１０２】
本実施の形態ではＣＰＵ５及びハブ６のリセットを共通化した例について述べたが、これに限られるものではなく、ＣＰＵ１０のリセットを共通化しても良い。
【０１０３】
本発明の更なる実施の形態であるディスプレイ装置の外観図を第２２図に示す。
【０１０４】
本実施の形態はディスプレイ装置１に電源オン・オフスイッチとは異なるシリアルインターフェースアダプタ２のリセットスイッチ２４を設けた点が他の実施の形態と異なる。第２２図では、リセットスイッチ２４の位置をディスプレイ装置のキャビネット１の表示画面の近傍としているが、その場所に限られるものではなく、例えばシリアルインターフェースアダプタ２の前面（第２２図の２の斜線部）であってユーザから操作できる位置に設けてもよい。
【０１０５】
第２１図の構成に、リセットスイッチ２４を設けた内部構成図を第２３図に示す。
【０１０６】
第２３図では、ユーザがリセットスイッチ２４を押すことにより、共通リセット回路２３がＣＰＵ５及びハブ６を初期状態に戻し、ＰＣ３とのアップストリームポートの接続も一旦切断し、再接続するように、ＣＰＵ５及びＣＰＵ１０はプログラムされている。上記のようにＣＰＵ５及びＣＰＵ１０をプログラムすることにより、例えばダウンストリームポート６２に接続したデバイスが故障、または過電流状態となったことをＯＳＤ表示等によりユーザが知った場合に、ユーザが故障したデバイスをダウンストリームポート６２から取り外し、再接続してリセットスイッチ２４を押すことにより、シリアルインターフェース２のＣＰＵ５やハブ６は初期状態から動作を再開することができる。この時、過電流状態を検出したときは、特にダウンストリームポート６２に接続されるデバイスの取り外し作業をする必要はない。
【０１０７】
尚、本実施の形態では上記過電流状態からの動作再開のトリガーとしてリセットスイッチ２４を使用する場合の例について述べたが、これ以外の形態としては、共通リセット回路、ＣＰＵ５またはハブ６が過電流状態をモニターし、過電流状態が解消されたことを検出した時に自動的に初期状態から動作を再開する方法もある。
【０１０８】
本発明の更なる実施の形態を、第２４図に示す。第２４図では、１つのシリアルインターフェースアダプタ２で複数のディスプレイと通信制御をするものであり、その点が他の実施の形態と異なる。
【０１０９】
本実施の形態によるシリアルインターフェースアダプタ２が通信できるディスプレイ装置は１台に限られるものではなく、複数のディスプレイ装置毎にアドレスを割り当てて識別することにより、複数のディスプレイと通信が可能である。例えば、第２５図に示すような複数のディスプレイ装置を上下に３つ、左右に３つと、合計９個をつなぎ合わせて１つの大画面を実現する多画面マルチディスプレイ装置２５の各コアとの通信制御も可能である。第２５図において、１０、１０１、１０２、１０３、１０４、１０５、１０６、１０７、１０８はコアとなっているディスプレイ装置を制御するＣＰＵである。ＰＣ３は、前記各コアのＣＰＵとの通信制御により各コア毎に明るさ、色温度、画面歪み、表示サイズ、位置等の画質制御をすることができ、前記各コア（ディスプレイ装置）の調整値、識別情報、性能情報等の取得、及びそれらのデータに基づいた制御が可能である。
【０１１０】
本発明による更なる一実施形態であるディスプレイ装置の構成を示すブロック図を第２６図に示す。同図において、２０１はＰＣであり、２０２はディスプレイ装置であり、２０３はハブユニットである。ディスプレイ装置２において、３２１は同期処理回路、３２２はビデオ処理回路、３２３はＣＰＵ、３２４はドライブ回路、３２５は表示デバイス、３２６は制御データメモリである。以下、ディスプレイ装置２０２の各部の動作を説明する。
【０１１１】
同期処理回路３２１は入力された映像信号、複合同期信号、あるいはＨＤ、ＶＤから所定極性の水平パルス（ＨＤ）及び垂直パルス（ＶＤ）を生成し、ビデオ処理回路３２２、ＣＰＵ３２３及び、ドライブ回路３２４に供給する。この際、同期信号の極性情報を検出してＣＰＵ３２３に供給しても良い。ＣＰＵ３２３は同期処理回路３２１の出力ＨＤ、びＶＤの周波数及び入力同期信号の極性情報から入力信号を特定し、該映像信号を表示する際の明るさ、色、表示サイズ、表示位置、ひずみ等の制御データを制御データメモリ３２６から呼び出し、ビデオ処理回路３２２及び、ドライブ回路３２４を制御する。尚、第２６図では上述の制御データメモリ２２６をＣＰＵ３２３外部に設けた例を記載しているが、これに限られるのもではなく、例えば、ＣＰＵ３２３の内蔵ＲＯＭであっても良い。
【０１１２】
ビデオ処理回路３２２は入力されたＲ、Ｇ、Ｂのビデオ信号にＣＰＵ３２３からの制御情報に基づいて増幅、レベルシフト等の信号処理を施し、表示デバイス３２５に出力する。ドライブ回路３２４は入力された同期信号及び、該ＣＰＵ３２３からの制御情報に基づいて表示サイズ、ひずみ等を制御し、表示デバイス３２５を駆動する。以上説明したように各部が動作することにより、入力された映像信号を画像として表示デバイス３２５上に表示することができる。ここで、表示デバイス３２５はＣＲＴ方式でも液晶方式でもプラズマ方式でも良く、画像又は文字が表示できるデバイスであれば何でも良い。
【０１１３】
以下、ハブユニット２０３の動作を説明する。ハブユニット２０３において、３Ｕはアップポート、３Ｄ１〜３Ｄ４はＤｏｗｎポート、２３１はハブリピータ、２３２はハブコントローラ、である。
【０１１４】
ＵＰポート３Ｕを外部コンピュータに接続することにより、ハブコントローラ２３２はＣＰＵ３２３からメーカ名、製品名、製造番号、対応している規格のバージョン情報、文字情報、電源方式情報、Ｄｏｗｎポートの数、過電流検出方式、保留からの復帰信号の対応の可否、通信プロトコル等の識別情報を取得し、ＵＰポートを通じて外部コンピュータに回答することにより、ＰＣ２０１にハブとして認識される。ここで、ＣＰＵ３２３から読み込む識別情報はＰＣ２０１から要求される情報毎にＣＰＵ３２３から逐一読み込んでも良いし、ＵＰポート３Ｕが接続される前に一括して必要な情報を全て読み込んでも良い。
【０１１５】
ハブユニット２０３がＰＣ２０１にハブとして認識されることにより、ハブリピータがＵＰポート３ＵとＤｏｗｎポート３Ｄ１〜３Ｄ４の通信の仲介動作を開始し、Ｄｏｗｎポート３Ｄ１〜３Ｄ４が動作可能状態となる。この状態でキーボードやマウスなどの周辺機器をＤｏｗｎポート３Ｄ１〜３Ｄ４に接続すればＰＣ２０１との通信が可能となり、Ｄｏｗｎポート３Ｄ１〜３Ｄ４に接続された周辺機器が動作可能となる。
【０１１６】
以上説明したように、本実施形態のディスプレイ装置２０２はハブユニット２０３のメーカ名、製品名、製造番号等の識別情報をＣＰＵ３２３内部に保持しており、ハブユニット２０３が前記識別情報をＣＰＵ３２３から取得し、ＰＣ２０１に回答することにより、ＣＰＵ２２３内部に記録されている識別情報でＰＣ２０１に認識されることが可能となる。
【０１１７】
また、ディスプレイ装置２０２がＰＣ２０１から明るさ、表示位置、サイズ、歪み等を制御するディスプレイ制御機能に対応する場合はハブ識別情報の他にディスプレイ装置２０２が対応している上記制御項目の種類、調整範囲等もＣＰＵ３２３内に記録しておき、ハブユニット２０３を経由してＰＣ２０１に回答することで、ＰＣ２０１はディスプレイ装置２０２が上記ディスプレイ制御機能に対応している旨及び、仕様情報を把握することができ、ディスプレイ装置２０２の表示画面制御が可能となる。ハブユニット２０３はＵＰポート３からディスプレイの制御情報が送られてくると、ハブコントローラ２３２を介してディスプレイ装置２０２内のＣＰＵ３２３に伝え、ＣＰＵ３２３は受信したディスプレイの制御情報に基づいてビデオ処理回路３２２及び、ドライブ回路３２４を制御する。
【０１１８】
以上によりＰＣ２０１がディスプレイ装置２０２の表示制御を行うことやディスプレイ装置２０２から設定値を取得することが可能となる。
【０１１９】
また、ハブユニット２０３の内部にバックアップ用の識別情報を設け、ＣＰＵ３２３との通信がある一定時間以上経過しても完了しない時や、通信プロトコルエラーにより、ハブコントローラがＣＰＵ３２３からの識別情報の取得ができない場合には、上記バックアップ情報をＰＣ２０１に回答し、汎用のハブとして動作しても良い。また、上述のようにＣＰＵ３２３からの識別情報の取得ができない場合には上記ディスプレイ制御機能の調整項目を限定したり、ディスプレイ制御機能自身を禁止するよう設定しても良い。
【０１２０】
尚、ハブユニット２０３はディスプレイ装置２０２と着脱可能なユニット構造としても、ディスプレイ装置２０２へ内蔵してもどちらでも良く、外部コンピュータと周辺機器との通信を制御するハブ制御機能を有する点では、全く同様である。ここで、周辺機器としてはディスプレイ装置２０２自身も当然含まれる。
【０１２１】
本発明による一実施形態であるディスプレイ装置の構成を示すブロック図を第２７図に示す。
【０１２２】
第２６図と同一部分には同一符号を付し、重複する説明は省略する。上述の実施形態はＣＰＵ３２３内部にハブユニット２０３の識別情報を記録する場合の例について述べた。これに対し、本実施形態のディスプレイ装置はＣＰＵ３２３の外部にメモリ３２７を設け、メモリ３２７の内部にハブユニット２０３の識別情報を記録する場合の例について述べる。
【０１２３】
ＣＰＵ３２３はメモリ３２７からハブユニット２０３の識別情報を取得し、ハブユニット２０３に送信する。尚、ＣＰＵ３２３とメモリ３２７とのインターフェースはシリアルでもパラレルでも良く、またシリアルの場合には１本のクロックラインと１本の双方向データラインの２本の信号線を用いる２線式であっても良く、１本のクロックラインと１本の送信データラインと１本の受信データラインの３本の信号線を用いる３線式であっても良い。本実施形態ではハブユニット２０３の識別情報を記録するための専用のメモリ回路としてメモリ３２７を設けた例について述べたが、これに限られるものではなく、メモリ３２６にハブユニット２０３の識別情報を記録しても良い。この場合でも本発明の範囲を逸脱するものではない。
【０１２４】
本発明による一実施形態であるディスプレイ装置の構成を示すブロック図を第２８図に示す。
【０１２５】
第２６図と同一部分には同一符号を付し、重複する説明は省略する。上述の実施形態はディスプレイ装置２０２内部のメモリ３２７のみからハブユニットのデータを読み込む場合の例について述べた。これに対し、本実施形態のディスプレイ装置２０２は、ハブユニット２０３の内部に第２のメモリ３３３を設け、データの内容に応じてどちらのメモリエリアに記録するべきかを選別して記録している点が上述の実施形態と異なる。
【０１２６】
例えば、ハブユニット２０３の製造番号はハブユニット２０３固有の値であるため、ハブユニット２０３内のメモリ３３３に記録するのが望ましい。そのような場合には、本実施形態のハブユニット２０３はメーカ名はメモリ３２７の情報を使用し、前記製造番号はメモリ３３３の情報を使用するよう設定すれば良い。
【０１２７】
また、メモリ３２７からハブユニット２０３の製造番号を受信したとしてもメモリ３３３からハブユニット２０３の製造番号を受信した場合にはメモリ３３３の情報を優先する等、情報の項目に応じて優先順位を設けても良い。また、メモリ３３３の情報が欠落している場合にはメモリ３２７の情報で補う等、メモリ３２７のデータをバックアップとして使用しても良い。更に、両方のメモリからリードできないときはハブコントローラ ２３２の内部のバックアップデータを第２のバックアップデータとして使用する等、バックアップデータに優先順位を設けても良い。
【０１２８】
本発明による一実施形態であるディスプレイ装置の構成を示すブロック図を第２９図に示す。
【０１２９】
同図において、２０４は第２のＰＣである。第２６図と同一部分には同一符号を付し、重複する説明は省略する。上述の実施形態はディスプレイ装置２０２内部にハブユニット場合の例について述べた。これに対し、本実施形態は、ＰＣ２０１とは異なる第２のＰＣ２０４を設け、ハブコントローラ２３２がＣＰＵ３２３を介して、ＰＣ２０４からの識別情報を取得する点が上述の実施形態と異なる。
【０１３０】
本実施形態は製造時の動作検証において、メモリ３２７に識別データの書き込み作業を行う必要が無いため、時間的な製造コストを削減することができる。ＣＰＵ３２３とＰＣ２０４とのインターフェースはシリアルであってもパラレルであっても構わない。また、シリアルの場合は上述した２線式、３線式のクロック同期式でも良く、ＵＡＲＴ（Ｕｎｉｖｅｒｓａｌ Ａｓｙｎｃｈｒｏｎｏｕｓ Ｒｅｃｅｉｖｅｒ／Ｔｒａｎｓｍｉｔｔｅｒ）を使用しても良い。
【０１３１】
尚、本実施形態はハブコントローラ２３２がＣＰＵ３２３を介して、ＰＣ２０４からの識別情報を取得する場合の例について述べたが、これに限られるものではなく、ハブコントローラ２３２がＰＣ２０４から直接、識別情報を取得する場合であっても本発明を逸脱するものではない。この場合のハブユニット２０３とＰＣ２０４とのインターフェースは上述した各種インターフェースのどれを使用しても良い。
【０１３２】
本発明による一実施形態であるディスプレイ装置の構成を示すブロック図を第３０図に示す。
【０１３３】
第２６図と同一部分には同一符号を付し、重複する説明は省略する。上述の実施形態はハブコントローラ２３２が第２のＰＣ２０４から識別情報を取得する場合の例について述べた。これに対し、本実施形態は、ＰＣ２０１からの識別情報取得する点が上述の実施形態と異なる。
【０１３４】
例えば、ＰＣ２０１はハブユニット２０３からの識別情報の取得に失敗した場合に、ディスプレイ装置としての識別情報、例えばＥＤＩＤ（ＥｘｔｅｎｄｅｄＤｉｓｐｌａｙ Ｉｄｅｎｔｉｆｉｃａｔｉｏｎ Ｄａｔａ）をＣＰＵ３２３から受信し、ＥＤＩＤからディスプレイ装置２０２に装着されているハブユニット２０３の識別情報を抽出し、ＵＰポート３Ｕを介してハブコントローラ２３２に送信する。ハブコントローラ２３２はＰＣ２０１から受信した識別情報をハブユニット２０３内のメモリ３３３に書き込み、以後、メモリ３３３の識別情報をＰＣ２０１に回答することによりＨｕｂ Ｄｅｖｉｃｅとして動作することができる。メモリ３３３は不揮発性のメモリ素子を使用することにより、２回目以降の識別情報の書き込みを省略することができる。以上説明したように各部が動作することにより、ハブユニット２０３はＰＣ２０１から識別情報を取得し、動作することが可能となる。
【０１３５】
尚、本実施形態ではハブユニット２０３は識別情報をＵＰポート３Ｕを介して取得する場合の例について述べたが、これに限られるものでなく、ＣＰＵ３２３がＥＤＩＤを送信したインターフェースを使用し、ＰＣ１からＣＰＵ３２３経出で受信する場合も本発明の範囲を逸脱するものではない。また、ＥＤＩＤの格納エリアはＣＰＵ３２３内部であっても制御用データメモリ３２６内部であっても、新たに専用メモリ回路を設けても構わない。また、前記専用メモリ回路をＰＣ２０１とＣＰＵ３２３のインターフェースに接続し、ＣＰＵ３２３の介在無しでＰＣ２０１が直接リードする構成であっても構わない。
【０１３６】
以上説明を分かり易くするために本発明の項目毎に実施形態を示して説明した。従って、本明細書に記載した各実施形態を如何様に組み合わせたとしても本発明の範囲を逸脱するものではない。さらに、表示デバイスとしてはＣＲＴに限られるものではなく、液晶やプラズマと言ったマトリクスタイプであっても良い。
【産業上の利用可能性】
【０１３７】
以上説明したように本発明によれば、ＰＣとのインターフェース仕様が変更されても、柔軟に対応できるディスプレイ装置を提供することができる。またデジタル信号処理装置一般に、インターフェース仕様の異なる機器での通信において、インターフェース仕様の相互変換が行える機器を提供することが出来る。
【０１３８】
また、ＰＣとの通信を行うハブユニットがディスプレイ装置からメーカ名、製品番号等のハブとして必要な識別情報を取得するため、ディスプレイ装置と統一の取れた識別情報を有するハブユニットとして動作することができる。
【０１３９】
また、ディスプレイ装置が対応している画質調整項目や調整範囲をディスプレイ装置から取得し、ＰＣに回答することができるため、ＰＣからディスプレイ装置の動作可能な全調整項目を所要量で調整することができる。
【図面の簡単な説明】
【０１４０】
【図１】本発明によるディスプレイ装置の一実施形態を示し、その外観を示す図である。
【図２】本発明によるディスプレイ装置とコンピュータとシステム構成の一実施形態を示す図である。
【図３】本発明によるシリアルインターフェースアダプタを用いたインターフェース仕様相互変換を行うシステムの構成を示す図である。
【図４】本発明によるシリアルインターフェースアダプタを用いたインターフェース仕様相互変換を行うシステムの構成を示す図である。
【図５】本発明によるシリアルインターフェースアダプタの有するＣＰＵがソフトウェアにより制御され、インターフェース仕様相互変換を制御することを示す図である。
【図６】本発明によるハブを有するシリアルインターフェースアダプタの構成を示すとともに、シリアルインターフェースアダプタを用いた通信システムを示す図である。
【図７】本発明によるハブを有するシリアルインターフェースアダプタの構成を示すとともに、シリアルインターフェースアダプタを用いた通信システムを示す図である。
【図８】本発明によるディスプレイ装置と、そのディスプレイ装置を用いた通信システムの一実施形態の構成を示す図である。
【図９】本発明によるディスプレイ装置と、そのディスプレイ装置を用いた通信システムの一実施形態の構成を示す図である。
【図１０】本発明によるディスプレイ装置の一実施形態における表示画面の例を示す図である。
【図１１】本発明によるディスプレイ装置と、そのディスプレイ装置を用いた通信システムの一実施形態の構成を示す図である。
【図１２】本発明によるシリアルインターフェースアダプタを用いてデジタル信号処理装置を接続したシステムの一実施形態の構成を示す図である。
【図１３】本発明によるディスプレイ装置のシステム構成として、複数のシリアルインターフェースを有する一実施形態を示す図である。
【図１４】本発明によるディスプレイ装置と、そのディスプレイ装置を用いた通信システムの一実施形態の構成を示す図である。
【図１５】本発明によるディスプレイ装置と、そのディスプレイ装置を用いた通信システムの一実施形態の構成を示す図である。
【図１６】本発明によるディスプレイ装置と、そのディスプレイ装置を用いた通信システムの一実施形態の構成を示す図である。
【図１７】本発明によるディスプレイ装置のシリアルインターフェースアダプタのメモリ初期化回路の一例を示す図である。
【図１８】本発明によるディスプレイ装置と、そのディスプレイ装置を用いた通信システムの一実施形態の構成を示す図である。
【図１９】本発明によるディスプレイ装置と、そのディスプレイ装置を用いた通信システムの一実施形態の構成を示す図である。
【図２０】本発明によるディスプレイ装置と、そのディスプレイ装置を用いた通信システムの一実施形態の構成を示す図である。
【図２１】本発明によるディスプレイ装置と、そのディスプレイ装置を用いた通信システムの一実施形態の構成を示す図である。
【図２２】本発明によるディスプレイ装置の一実施形態を示し、その外観を示す図である。
【図２３】本発明によるディスプレイ装置と、そのディスプレイ装置を用いた通信システムの一実施形態の構成を示す図である。
【図２４】本発明によるディスプレイ装置と、そのディスプレイ装置を用いた通信システムの一実施形態の構成を示す図である。
【図２５】本発明によるディスプレイ装置を複数用いた一実施形態における表示画面の例を示す図である。
【図２６】本発明によるディスプレイ装置とコンピュータとシステム構成の一実施形態を示す図である。
【図２７】本発明によるディスプレイ装置とコンピュータとシステム構成の一実施形態を示す図である。
【図２８】本発明によるディスプレイ装置とコンピュータとシステム構成の一実施形態を示す図である。
【図２９】本発明によるディスプレイ装置とコンピュータとシステム構成の一実施形態を示す図である。
【図３０】本発明によるディスプレイ装置とコンピュータとシステム構成の一実施形態を示す図である。
【符号の説明】
【０１４１】
１…キャビネット、２…シリアルインターフェースアダプタ、３…ＰＣ、５…ＣＰＵ、６…ハブ、１０…ＣＰＵ、１１…ビデオ処理回路、１２・・・液晶モジュール、１５…ＣＲＴ、２５…多画面マルチディスプレイ装置 
【図１】
2006323401.tif 000003
【図２】
2006323401.tif 000004
【図３】
2006323401.tif 000005
【図４】
2006323401.tif 000006
【図５】
2006323401.tif 000007
【図６】
2006323401.tif 000008
【図７】
2006323401.tif 000009
【図８】
2006323401.tif 000010
【図９】
2006323401.tif 000011
【図１０】
2006323401.tif 000012
【図１１】
2006323401.tif 000013
【図１２】
2006323401.tif 000014
【図１３】
2006323401.tif 000015
【図１４】
2006323401.tif 000016
【図１５】
2006323401.tif 000017
【図１６】
2006323401.tif 000018
【図１７】
2006323401.tif 000019
【図１８】
2006323401.tif 000020
【図１９】
2006323401.tif 000021
【図２０】
2006323401.tif 000022
【図２１】
2006323401.tif 000023
【図２２】
2006323401.tif 000024
【図２３】
2006323401.tif 000025
【図２４】
2006323401.tif 000026
【図２５】
2006323401.tif 000027
【図２６】
2006323401.tif 000028
【図２７】
2006323401.tif 000029
【図２８】
2006323401.tif 000030
【図２９】
2006323401.tif 000031
【図３０】
2006323401.tif 000032
【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
外部コンピュータとの通信を行うためのインターフェイス手段を用いて該外部コンピュータとの間の通信を可能に構成された制御回路と、
メモリとを備え、
該メモリは該インターフェイス手段に関する識別情報を記憶し、
該制御回路は、該メモリに記憶された識別情報を該インターフェイス手段に供給し、該インターフェイス手段は該識別情報を該外部コンピュータへ伝送する
ことを特徴とするディスプレイ装置。
【請求項２】
請求項１に記載のディスプレイ装置であって、
前記インターフェイス手段は、ハブユニットであって、
前記メモリが記憶する識別情報は、少なくとも該ハブユニットのメーカ名、製品名に関する情報を含む
ことを特徴とするディスプレイ装置。
【請求項３】
請求項１に記載のディスプレイ装置であって、
前記制御回路が前記メモリを含むことを特徴とするディスプレイ装置。
【請求項４】
請求項１に記載のディスプレイ装置であって、
前記ハブユニットは、バックアップ用の識別情報を有し、前記メモリが記憶する識別情報が得られない場合に該バックアップ用の識別情報を前記外部コンピュータへ伝送することを特徴とするディスプレイ装置。
【請求項５】
請求項１に記載のディスプレイ装置であって、
該ディスプレイ装置に関する識別情報を記憶する別のメモリを更に備えることを特徴とするディスプレイ装置。
【請求項６】
請求項５に記載のディスプレイ装置であって、
前記制御回路は、前記別のメモリよりも前記メモリに記憶された識別情報を優先して前記インターフェイス手段に伝送し、前記インターフェイス手段は該伝送された識別情報を前記外部コンピュータへ伝送する
ことを特徴とするディスプレイ装置。
【請求項７】
請求項１に記載のディスプレイ装置であって、
前記制御回路は、前記外部コンピュータからの通信により表示画面制御が行われるように構成され、前記メモリから識別情報が得られない場合には、前記外部コンピュータによる表示画面制御機能を制限もしくは禁止することを特徴とするディスプレイ装置。
【請求項８】
請求項１に記載のディスプレイ装置であって、前記インターフェイス手段は、該ディスプレイ装置本体に対して着脱可能に構成されることを特徴とするディスプレイ装置。
【請求項９】
Ｒ，Ｇ，Ｂのビデオ信号が入力されるビデオ処理回路と、該ビデオ処理回路の出力に基づき表示を行う表示デバイスと、前記ビデオ信号とともに入力された同期信号に基づいて前記表示デバイスを駆動するドライブ回路と、前記ビデオ処理回路及び前記ドライブ回路を制御する制御回路と、外部コンピュータとその周辺機器との間で通信を行わせるためのハブユニットとを有するディスプレイ装置において、外部コンピュータから前記ハブユニットに関する識別情報が入力されるように構成したことを特徴とするディスプレイ装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
しかし、日本特開平１０−１１６１３９号公報に開示される従来技術では、ハブコントローラ部に記録されるＨｕｂのメーカ名、製品名、製造番号によってＨｕｂの認識が行われるために汎用性が得られないという課題がある。例えば、他社ブランド名でディスプレイ装置を出荷する様な場合では、ディスプレイ装置のメーカ名と一致する様にハブコントローラ部に記録されるメーカ名等をその度毎に書き直す必要が有るため、汎用性のあるＨｕｂが得られず、Ｈｕｂの製造コストが高くなるという問題が有った。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明は、上記の各課題に鑑みて為されたものであって、その目的は、様々なコンピュータとの通信のインターフェース仕様に対応可能な汎用性の高いディスプレイ装置を提供することにある。
【手続補正８】
【補正対象書類名】明細書
【補正対象項目名】００１２
【補正方法】変更
【補正の内容】
【００１２】
上記目的を達成するために、本発明においては、例えば特許請求の範囲に記載されるように構成する。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】